(57)【特許請求の範囲】
【請求項１】
シャープペンシル体とボールペン体を前方に突出させる先軸と、ノックカバーを後方に突出させる後軸とを螺合することで構成される筆軸内において、ノック部及びサイドノック部、そして該ノック部及びサイドノック部に各々対応するとともに、後軸内壁に固定される保持部を内装し、
該ノック部は、一側面に弾性を有する第１係止部と第１解除突起を持ち、この中央に軸方向に中央欠除部を設けると共に、前端には、スプリングを介してシャープペンシル体に結合するシャープペンシル体嵌合孔を開口しており、
該サイドノック部は第２解除突起を有するとともに、一側に第２係止部を、他側面の上方に摘みをそれぞれ持ち、該サイドノック部の先端には筆記体嵌合孔を開口した上で、これにボールペン体をスプリングを介して結合し、
該保持部は、ノック部及びサイドノック部の各前進により、ノック部の第１係止部あるいはサイドノック部の第２係止部に係合自在となる第３係止部を有するものであり、
該ノック部とサイドノック部とは、一方の前進により他方の係止部と保持部との係合を解除して後退自在とするものであって、
更に、該ノック部内部に、シャープペンシル体嵌合孔に結合するシャープペンシル体に向け鉛芯が通ることのできる鉛芯通孔を確保してなる筆記具。
【発明の詳細な説明】
【０００１】
【発明の属する技術分野】
この発明は複数の筆記体をもつ筆記具に関する。
【０００２】
【従来の技術】
従来、複数の筆記体をもつ筆記具は知られており、それは、軸筒の側面に沿い筆記体のそれぞれを出没させるもの、あるいは軸を回動させて複数の筆記体からそのひとつを選択しそのいずれかひとつの筆記体を突出させ、また、そのいずれかの筆記体をノック式シャープペンシルとするものである。
【０００３】
【発明が解決しようとする課題】
しかしながら、上記従来のものには次のような問題点がある。すなわち、複数の筆記体の中にシャープペンシルを用いる場合には、シャープペンシルに鉛芯を補給する必要があると、その都度、筆記具から取り外して補給しなければならず、特にシャープペンシルを主筆記体とする時にはその鉛芯交換が煩わしいものとなる。また、回動することによりいずれかひとつの筆記体を選択する場合、選択するためにまず軸を回動していずれかの筆記体を選択した後に、その筆記体を突出して筆記するという操作を必要とし、煩わしいばかりでなく、その作動機構が複雑となり、コスト高は勿論、故障の頻度も多くなるものである。
【０００４】
そこで、この発明は上記従来の問題点を解決するものであって、主体となるノック式シャープペンシルはノックすることにより突出させ、直ちに使用することができ、鉛芯の補充も後方より容易であり、補助的に用いる他の筆記体例えば異色のボールペンなどを用いるに当り、筆軸側面の摘みを先端に向け押出すことにより、シャープペンシル体を没入させ、これに代えボールペン等の他の筆記体を同時に突出して用いることができるようにしたものである。
【０００５】
【課題を解決するための手段】
そのために、シャープペンシル体とボールペン体を前方に突出させる先軸と、ノックカバーを後方に突出させる後軸とを螺合することで構成される筆軸内において、ノック部及びサイドノック部、そして該ノック部及びサイドノック部に各々対応するとともに、後軸内壁に固定される保持部を内装し、
該ノック部は、一側面に弾性を有する第１係止部と第１解除突起を持ち、この中央に軸方向に中央欠除部を設けると共に、前端には、スプリングを介してシャープペンシル体に結合するシャープペンシル体嵌合孔を開口しており、
該サイドノック部は第２解除突起を有するとともに、一側に第２係止部を、他側面の上方に摘みをそれぞれ持ち、該サイドノック部の先端には筆記体嵌合孔を開口した上で、これにボールペン体をスプリングを介して結合し、
該保持部は、ノック部及びサイドノック部の各前進により、ノック部の第１係止部あるいはサイドノック部の第２係止部に係合自在となる第３係止部を有するものであり、
該ノック部とサイドノック部とは、一方の前進により他方の係止部と保持部との係合を解除して後退自在とするものであって、
更に、該ノック部内部に、シャープペンシル体嵌合孔に結合するシャープペンシル体に向け鉛芯が通ることのできる鉛芯通孔を確保してなるものである。
【０００６】
【発明の実施の形態】
この発明は実施にあたり、主筆記具となるシャープペンシルはノック式として従来のこの種のシャープペンシルと同様に、ノックにより先端より突出させ、更にノックすることにより鉛芯を押出することが可能である。その上、補助的にボールペン体を筆軸側面に沿い押出することにより使用することができ、それと同時に突出していたシャープペンシル体を自動的に筆軸体を引込ませることが可能であり、その操作も一動作でできる。筆軸全体の径も太くすることがない。
【０００７】
【実施例】
この発明の実施例を図により更に説明する。（１）はこの筆記具の筆軸であり、この筆軸（１）はシャープペンシル体（１２）と他の筆記体［実施例においてはボールペン体（１３）］を前方に突出させる先軸（２）とノックカバー（５）を後方に突出させる後軸（３）よりなり、先軸（２）と後軸（３）は螺合される。ノックカバー（５）は後軸（３）の後端に嵌合するゴムカバー（４）を介して後軸（３）より突出させ、これをノック（押圧）することでシャープペンシル体（１２）を先軸（２）前方の先軸開口部（２３）より突出させる。ノックカバー（５）はシャープペンシル体（１２）を前進させるノック部（６）に連結するとともに、スプリング（８）を介してシャープペンシル体（１２）に結合する。ノック部（６）は図５，図６に示すように一側面に第１係止部（１７）と第１解除突起（１９）を持ち、この中央に軸方向に中央欠除部（２０）を設ける。第１係止部（１７）は前方をノック部（６）に固定し、後方をノック部（６）より切り離して、この第１係止部（１７）に弾性を保持させる。ノック部（６）内に鉛芯が前方に向け通ることのできる鉛芯通孔（２９）を確保し、ノック部（６）の前端には上記鉛芯通孔（２９）に連結するシャープペンシル体嵌合孔（２２）を開口し、これにシャープペンシル体（１２）を結合する。後軸（３）内に保持する保持部（１０）、（１１）を後軸内壁に固定して設け、保持部（１０）、（１１）とノック部（６）前端部の間にスプリング（８）を収納し、スプリング（８）に抗して、保持部（１０）、（１１）の第３係止部（２６）とノック部（６）の第１係止部（１７）は係合する。上記シャープペンシル体（１２）は、従来のチャック（図示せず）を内蔵する押出鉛筆であり、先軸（２）より突出して、シャープペンシル先端部（１４）を先端開口（２３）で支持する時（図３）、引続くノックにより鉛芯は逐次繰出されるものとなる。
【０００８】
筆記体嵌合孔（２５）内にボールペン体（１３）を嵌挿するサイドノック部（７）は一側に第２係止部（１８）と、他側面の上方に摘み（１６）をもち、摘み（１６）は後軸（３）に軸方向に設ける縦溝（２１）内を前後に摺動できる。この摺動により、先軸開口部（２３）からボールペン体（１３）をボールペンにより筆記するため突出する。そこで、ボールペン体（１３）を嵌挿するサイドノック部（７）の第２係止部（１８）は、保持部（１０）、（１１）の第３係止部（２６）に係止してボールペン体（１３）を先軸開口部（２３）より突出した状態に維持する。ボールペン体（１３）は、通常のボールペンよりなり、後端部はスプリング（９）を介してサイドノック部（７）に連結する。ゴムカバー（４）は後軸（３）後端に嵌着し、ノックカバー（５）の後退時の過度の突出を隠蔽するとともに、その弾性によりノックカバー（５）の押圧を無理なく実行させる。
【０００９】
この発明は以上のとおり構成されるから、両筆記体収納時（図２）より、まず、ノックカバー（５）を押圧すると、図３に示すとおりスプリング（８）に抗してノック部（６）は前進し、第１係止部（１７）は保持部（１０）、（１１）の第３係止部（２６）と係合し、同時に先軸開口部（２３）よりシャープペンシル先端部（１４）が突出し、上記係合と段部（２４）によりその前進が停止される。この状態で更にノックカバー（５）をノックすると、先端部（１４）が先軸開口部（２３）に保持されて前進できないため、シャープペンシル体（１２）に内蔵するスプリングとチャック（図示せず）の連動作用によりシャープペンシル体（１２）内の鉛芯は把持され逐次繰出されるので、従来のノック式シャープペンシルと同様に鉛芯の補充が可能となる。
【００１０】
一方、ボールペン体（１３）とこれに結合するサイドノック部（７）は保持部（１０）、（１１）の第３係止部（２６）と係合してボールペン体（１３）を突出した状態にするため（図４）、サイドノック部（７）の摘み（１６）を後軸（３）の縦溝（２１）に沿い押出すと、上記第３係止部（２６）と第２係止部（１８）と係合し、かつ、ボールペン体（１３）を先軸開口部（２３）より突出させるとともに、サイドノック部（７）のほぼ中央の第２解除突起（２８）が前進する。この第２解除突起（２８）の前進は、ノック部（６）の第１係止部（１７）を径方向に押して保持部（１０）、（１１）の第３係止部（２６）と上記ノック部（６）の第１係止部（１７）の係合を解放することとなるから、スプリング（８）によりサイドノック部（７）の前進と反対にノック部（６）は後退してシャープペンシル体（１２）は筆軸内に没入し、代わりにボールペン体（１３）が突出し、サイドノック部（７）の第２係止部（１８）は、保持部（１０）、（１１）の第３係止部（２６）と係合してその係合位置に停止する。同様に、ノックカバー（５）のノックによりノック部（６）が前進すると、ノック部（６）の第１解除突起（１９）によりサイドノック部（７）の第２解除突起（２８）が径方向に押されて、保持部（１０）、（１１）の第３係止部（２６）とサイドノック部（７）の第２係止部（１８）との係合が解放され、スプリング（９）によりサイドノック部（７）は後退し、ボールペン体（１３）は筆軸内に収容されることとなる。
【００１１】
ノック部（６）の第１係止部（１７）は弾性を保持するように構成されるから、サイドノック部（７）の第２解除突起（２８）によるノック部（６）の係止の解放等が容易となる。この係合に代え、図９に示すようにノック部（６）の第１係止部（１７）を前進時、後軸（３）内壁に設ける第４係止部（２７）に係合し、サイドノック部（７）の前進によって、サイドノック部（７）の第２解除突起（２８）がノック部（６）の第１係止部（１７）を径方向に押して、ノック部（６）と第４係止部（２７）との係合を解放することもできる。また、サイドノック部（７）も第２係止部（１８）が第４係止部（２７）に係合し、ノック部（６）の前進により、第１解除突起（１９）の突起が第２解除突起（２８）をのり越えることにより第２係止部（１８）と第４係止部（２７）の係合を解除する。
【００１２】
なお、通常は図５に示すように第１係止部（１７）は中央欠除部（２０）を有し、軸径を太くしないようにしているが、軸径を大とすることを避けなければ、図１０に示すように中央欠除部（２０）を形成しなくてもよい。
【００１３】
【発明の効果】
この発明は、上記のとおり構成されるから、ノック式シャープペンシルを主筆記体として、他の筆記体とともに収容することにより、一動作によりいずれか一方の筆記体を筆記位置に突出させ、かつ、シャープペンシルの鉛芯の補充を容易にさせるとともに、筆軸の径を太くすることなく、簡単な構成によりコストの低減と操作の容易性を実現する優れた効果をもつものである。
【図面の簡単な説明】
【図１】  この発明の筆記具の分解斜視図である。
【図２】  両筆記体収納時の縦断正面図である。
【図３】  シャープペンシル体突出時の縦断正面図である。
【図４】  ボールペン体突出時の縦断正面図である。
【図５】  ノック部の斜視図である。
【図６】  ノック部の正面図である。
【図７】  サイドノック部の斜視図である。
【図８】  サイドノック部の正面図である。
【図９】  係止突起の変形を示す後軸の斜視図である。
【図１０】  ノック部の変形部分図である。
【符号の説明】
１  筆軸
２  先軸
３  後軸
４  ゴムカバー
５  ノックカバー
６  ノック部
７  サイドノック部
８  ，９  スプリング
１０，１１  保持部
１２  シャープペンシル体
１３  ボールペン体
１４  シャープペンシル先端部
１５  ボールペン先端部
１６  摘み
１７  第１係止部
１８  第２係止部
１９  第１解除突起
２０  中央欠除部
２１  縦溝
２２  シャープペンシル体嵌合孔
２３  先軸開口部
２４  段部
２５  筆記体嵌合孔
２６  第３係止部
２７  第４係止部
２８  第２解除突起
２９ 鉛芯通孔
【図１】
0003885180.tif 000002
【図２】
0003885180.tif 000003
【図３】
0003885180.tif 000004
【図４】
0003885180.tif 000005
【図５】
0003885180.tif 000006
【図６】
0003885180.tif 000007
【図７】
0003885180.tif 000008
【図８】
0003885180.tif 000009
【図９】
0003885180.tif 000010
【図１０】
0003885180.tif 000011